(57)【特許請求の範囲】
【請求項１】
前面板に設けられた開口部より奥側に配置される３個以上の支持部と、
前記支持部に支持され、前記開口部に対して位置決め配置されるスイッチ部と、を備え、
前記支持部は、
前記スイッチ部を受ける支持部本体と、
前記支持部本体を前記開口部側に付勢する本体付勢部と、
前記本体付勢部の付勢力に抗して前記支持部本体を前記開口部より奥側に位置するように係留する係留部と、
前記支持部本体に設けられ、前記支持部本体から前記開口部側に向かって延在する位置決め部と、を備え、
前記位置決め部が前記前面板の裏面に当接して、前記支持部本体が前記前面板に対して位置決めされることを特徴とする平面スイッチ。
【請求項２】
前記支持部本体には、前記支持部本体が前記係留部に対して回動する範囲に対応したガイド孔が設けられており、
前記係留部は、
前記ガイド孔を貫通するように配置される棒状本体部と、
前記棒状本体部の一端側に設けられ、前記支持部本体が摺動可能に前記ガイド孔に係合するヘッド部と、を備えており、
前記支持部本体が、前記係留部に対して回動して前記位置決め部を前記前面板の裏面に当接させることで、前記支持部本体が前記前面板に対して位置決めされることを特徴とする請求項１に記載の平面スイッチ。
【請求項３】
複数の前記支持部が配置され、前記開口部の奥に位置する奥面に固定されるベース部を備え、
前記本体付勢部が前記ベース部上に配置されるとともに、前記係留部の前記棒状本体部の他端側が前記ベース部に固定されていることを特徴とする請求項２に記載の平面スイッチ。
【請求項４】
前記支持部は、
前記支持部本体上に設けられ、前記スイッチ部を前記支持部本体から前記開口部側に付勢するスイッチ付勢部と、
前記スイッチ付勢部の付勢力に抗して前記支持部本体に対して前記スイッチ部を位置決めするスイッチ位置決め部と、を備え、
前記スイッチ部が前記スイッチ付勢部を介して前記支持部本体に受けられていることを特徴とする請求項１から請求項３のいずれか１項に記載の平面スイッチ。
【請求項５】
前記スイッチ位置決め部は、
ネジと、
前記支持部本体に設けられ、前記ネジを螺合させるネジ固定穴と、で構成され、
前記スイッチ部が、前記ネジを通すネジ孔を有しており、
前記ネジの前記ネジ固定穴に対する螺合量によって、前記スイッチ部の前記支持部本体に対する位置決めが行われることを特徴とする請求項４に記載の平面スイッチ。
【請求項６】
前記スイッチ付勢部は圧縮コイルばねであり、
前記支持部本体は、前記圧縮コイルばねからなる前記スイッチ付勢部の他端側を収容する第１凹部を有していることを特徴とする請求項４又は請求項５に記載の平面スイッチ。
【請求項７】
前記本体付勢部は圧縮コイルばねであり、
前記支持部本体は、前記圧縮コイルばねからなる前記本体付勢部の一端側を収容する第２凹部を有していることを特徴とする請求項１から請求項６のいずれか１項に記載の平面スイッチ。
【請求項８】
前記スイッチ部は、
前記支持部に支持される制御ユニットと、
前記開口部側に配置され、前記制御ユニット上に設けられるセンサユニットと、を備えており、
前記センサユニットが静電容量式であることを特徴とする請求項１から請求項７のいずれか１項に記載の平面スイッチ。
【発明の詳細な説明】
【技術分野】
【０００１】
本発明は平面スイッチに関する。
【背景技術】
【０００２】
壁に埋め込まれた状態で取付けて使用するとともに、壁から取外してリモコンとしても使用可能な照明用スイッチが知られている（特許文献１参照）。
特許文献１の照明用スイッチでは、静電容量センサを用いてスイッチを構成しているのでスイッチ部分が平面である。
【先行技術文献】
【特許文献】
【０００３】
【特許文献１】特開２０１２−０５９５８０号公報
【発明の概要】
【発明が解決しようとする課題】
【０００４】
特許文献１のような静電容量センサを用いたスイッチの場合、スイッチ面を平らに構成することが可能である。
このため、例えば、建物の壁に設置する場合、スイッチ面を壁と面一（例えば、スイッチ面と壁面が同一平面状）になるように設置できれば、スイッチ面が突出しないため、部屋等の美観を高めることが可能である。
【０００５】
しかしながら、建物の内壁と外壁との間の距離寸法は建物ごとに様々であるため、スイッチ面が平らであったとしても、スイッチを内壁に取付けたときに、必ずしも、スイッチ面が外壁と面一になるとは言えない。
【０００６】
このように、スイッチ面が外壁から突出しないように設置することは、スイッチ面が平らであったとしても、簡単に行えるものではないという問題がある。
したがって、スイッチの設置自由度が高く、例えば、スイッチ面を開口部とほぼ面一にするといったスイッチの設置状態を簡単に実現できるスイッチの出現が望まれる。
【０００７】
本発明は、上記事情に鑑みてなされたものであり、開口部に埋め込まれる平面スイッチであって、簡単に、平面スイッチを開口部に対して適切に配置することができる平面スイッチを提供することを目的とする。
【課題を解決するための手段】
【０００８】
本発明は、上記目的を達成するために、以下の構成によって把握される。
（１）本発明の平面スイッチは、前面板に設けられた開口部より奥側に配置される複数の支持部と、前記支持部に支持され、前記開口部に対して位置決め配置されるスイッチ部と、を備え、前記支持部は、前記スイッチ部を受ける支持部本体と、前記支持部本体を前記開口部側に付勢する本体付勢部と、前記本体付勢部の付勢力に抗して前記支持部本体を前記開口部より奥側に位置するように係留する係留部と、前記支持部本体に設けられ、前記支持部本体から前記開口部側に向かって延在する位置決め部と、を備え、前記位置決め部が前記前面板の裏面に当接して、前記支持部本体が前記前面板に対して位置決めされる。
【０００９】
（２）上記（１）の構成において、前記支持部本体には、前記支持部本体が前記係留部に対して回動する範囲に対応したガイド孔が設けられており、前記係留部は、前記ガイド孔を貫通するように配置される棒状本体部と、前記棒状本体部の一端側に設けられ、前記支持部本体が摺動可能に前記ガイド孔に係合するヘッド部と、を備えており、前記支持部本体が、前記係留部に対して回動して前記位置決め部を前記前面板の裏面に当接させることで、前記支持部本体が前記前面板に対して位置決めされる。
【００１０】
（３）上記（２）の構成において、複数の前記支持部が配置され、前記開口部の奥に位置する奥面に固定されるベース部を備え、前記本体付勢部が前記ベース部上に配置されるとともに、前記係留部の前記棒状本体部の他端側が前記ベース部に固定されている。
【００１１】
（４）上記（１）から（３）のいずれか１つの構成において、前記支持部を３個以上備えている。
【００１２】
（５）上記（１）から（４）のいずれか１つの構成において、前記支持部は、前記支持部本体上に設けられ、前記スイッチ部を前記支持部本体から前記開口部側に付勢するスイッチ付勢部と、前記スイッチ付勢部の付勢力に抗して前記支持部本体に対して前記スイッチ部を位置決めするスイッチ位置決め部と、を備え、前記スイッチ部が前記スイッチ付勢部を介して前記支持部本体に受けられている。
【００１３】
（６）上記（５）の構成において、前記スイッチ位置決め部は、ネジと、前記支持部本体に設けられ、前記ネジを螺合させるネジ固定穴と、で構成され、前記スイッチ部が、前記ネジを通すネジ孔を有しており、前記ネジの前記ネジ固定穴に対する螺合量によって、前記スイッチ部の前記支持部本体に対する位置決めが行われる。
【００１４】
（７）上記（５）又は（６）の構成において、前記スイッチ付勢部は圧縮コイルばねであり、前記支持部本体は、前記圧縮コイルばねからなる前記スイッチ付勢部の他端側を収容する第１凹部を有している。
【００１５】
（８）上記（１）から（７）のいずれか１つの構成において、前記本体付勢部は圧縮コイルばねであり、前記支持部本体は、前記圧縮コイルばねからなる前記本体付勢部の一端側を収容する第２凹部を有している。
【００１６】
（９）上記（１）から（８）のいずれか１つの構成において、前記スイッチ部は、前記支持部に支持される制御ユニットと、前記開口部側に配置され、前記制御ユニット上に設けられるセンサユニットと、を備えており、前記センサユニットが静電容量式である。
【発明の効果】
【００１７】
本発明によれば、開口部に埋め込まれる平面スイッチであって、簡単に、平面スイッチを開口部に対して適切に配置することができる平面スイッチを提供することができる。
【図面の簡単な説明】
【００１８】
【図１】本発明に係る実施形態の平面スイッチが部屋等の壁内に埋め込まれて設置されている状態を示す斜視図である。
【図２】図１のＡ方向から見た平面図である。
【図３】本発明に係る実施形態の平面スイッチだけを示した図であり、（ａ）は平面スイッチの斜視図であり、（ｂ）は平面スイッチを横から見た平面図である。
【図４】本発明に係る実施形態の平面スイッチを設置する作業を説明する図であり、外壁に開口部を形成するところを説明する斜視図である。
【図５】本発明に係る実施形態の平面スイッチを設置する作業を説明する図であり、外壁に開口部を形成したところを示した斜視図である。
【図６】本発明に係る実施形態の平面スイッチを設置する作業を説明する図であり、内壁にベース部を取り付けるネジ固定孔を形成するところを説明するための斜視図である。
【図７】本発明に係る実施形態のベース部上に複数の支持部を取り付けた支持ユニットを示す平面図である。
【図８】本発明に係る実施形態の平面スイッチを設置する作業を説明する図であり、支持ユニットを内壁に固定するところを説明するための斜視図である。
【図９】本発明に係る実施形態の支持ユニットを示す斜視図である。
【図１０】本発明に係る実施形態のスイッチ部を示す斜視図である。
【図１１】本発明に係る実施形態のセンサユニットの静電容量式のセンサ部分の構成を説明するための断面図であり、（ａ）はスイッチの操作が行われていない状態を示す図であり、（ｂ）はスイッチの操作が行われている状態を示す図である。
【図１２】本発明に係る実施形態の平面スイッチを設置する作業を説明する図であり、スイッチ部を支持部に取り付けるところを説明するための斜視図である。
【図１３】本発明に係る実施形態の支持部を、直接、内壁に取り付けた場合を示す斜視図である。
【発明を実施するための形態】
【００１９】
以下、本発明を実施するための形態(以下、「実施形態」という)を、添付図面に基づいて詳細に説明する。
なお、実施形態の説明の全体を通して同じ要素には同じ番号を付している。
【００２０】
図１は本発明に係る実施形態の平面スイッチ１が部屋等の壁内に埋め込まれて設置されている状態を示す斜視図であり、図２は図１のＡ方向から見た平面図である。
図１及び図２では、外壁Ｗ１と内壁Ｗ２の一部だけを示すようにしており、以降の図でも外壁Ｗ１や内壁Ｗ２を図示する場合には、一部だけを図示する。
また、以降の図において、内壁Ｗ２だけが図示されている場合は、外壁Ｗ１が省略されている図である。
なお、図２に示すような平面スイッチ１のユーザがスイッチ操作を行う面に直交する方向を平面スイッチ１の横と呼ぶ場合がある。
【００２１】
また、図３は平面スイッチ１だけを示した図であり、図３（ａ）は平面スイッチ１の斜視図であり、図３（ｂ）は平面スイッチ１を横から見た平面図である。
なお、図３（ｂ）は図２と反対側になる平面スイッチ１の横側を図示したものになっている。
【００２２】
例えば、平面スイッチ１は、照明装置等の操作を行うためのスイッチであり、図２に示すように、平面スイッチ１は、図示しないスイッチ操作のための各部品や外壁Ｗ１に設けられた開口部２（図２では図示せず）が見えないようにするために、開口部２を覆うように設けられるカバー１０を備えている。
【００２３】
また、平面スイッチ１は、図２に示すように、外壁Ｗ１に設けられた開口部２（図２では図示せず）の奥に位置する奥面を構成する内壁Ｗ２に固定されるベース部２０と、ベース部２０上に配置される複数の支持部３０と、支持部３０に支持され、開口部２（図２では図示せず）に対して位置決め配置されるスイッチ部４０と、を備えており、上述した開口部２（図２では図示せず）を覆うように設けられるカバー１０は、後述のように、スイッチ部４０に取り付けられるようになっている。
【００２４】
以下、具体的に、平面スイッチ１を設置する作業について説明しながら併せて平面スイッチ１の各部について説明を行う。
【００２５】
図４は、外壁Ｗ１に開口部２を形成するところを説明する斜視図である。
なお、図４では、内壁Ｗ２の図示を省略している。
図４に示すように、外壁Ｗ１の外面３に治具５０を配置し、治具５０の外周５０ａに沿って外壁Ｗ１を切断することで、図５に示すような矩形状の開口部２を外壁Ｗ１に形成する。
【００２６】
そして、治具５０の対向する側壁に設けられた一対のつまみ部５１を指でつまむようにして治具５０を手で持って、図６に示すように、治具５０を内壁Ｗ２に当接するところまで開口部２から開口部２の奥に挿入し、治具５０に設けられているガイド孔５２に、図示しないネジ固定孔形成具を挿入し、内壁Ｗ２に対してネジ固定孔を形成する。
【００２７】
次に、図７に示すように、ベース部２０上に複数の支持部３０を取り付けた支持ユニットを作製する。
具体的には、図６に示した治具５０を用いて開口部２を形成したのと同様に、板材からベース部２０となる開口部２とほぼ同じサイズの板材を切り出す。
【００２８】
そして、その切り出した板材に対して治具５０を当てたまま、治具５０のガイド孔５２にドリルツールを挿入し、板材に内壁Ｗ２に形成したネジ固定孔に対応する貫通孔２２（図７参照）を形成する。
この貫通孔２２は、ベース部２０を内壁Ｗ２のネジ固定孔にネジ固定するときのネジ２２ａ（図８参照）を通す孔となる。
【００２９】
また、図６に示すように、治具５０には、四隅にガイド孔５３が設けられており、引き続き、治具５０を切り出した板材に当てたまま、ガイド孔５３に図示しないネジ固定孔形成具を挿入し、ベース部２０となる板材の四隅にネジ固定孔を形成することで、ベース部２０が作製される。
【００３０】
この四隅に形成されたネジ固定孔（図示せず）を利用して、後述する４つの支持部３０が、図７に示すように、ベース部２０上に固定され、支持ユニットが完成する。
なお、図７に示すベース部２０上に複数の支持部３０を取り付けた支持ユニットは、外壁Ｗ１に開口部２を形成する前に作製しておいてもよい。
【００３１】
そして、開口部２からこの支持ユニットを挿入して、図８に示すように、支持ユニットの貫通孔２２が、先に形成した内壁Ｗ２のネジ固定孔に対して位置が合うように支持ユニットを内壁Ｗ２上に配置し、ネジ２２ａで支持ユニットを内壁Ｗ２に固定する。
【００３２】
図９は支持ユニットを示す斜視図であり、主に、図３、図７及び図９を参照しながら、支持部３０の構成について説明すると、図９に示すように、支持部３０は、スイッチ部４０（図３参照）を受ける支持部本体３１と、支持部本体３１を開口部２側に付勢する本体付勢部３２と、本体付勢部３２の付勢力に抗して支持部本体３１を開口部２より奥側に位置するように係留する係留部３３と、支持部本体３１に設けられ、支持部本体３１から開口部２側に向かって延在する位置決め部３４と、を備えている。
【００３３】
また、支持部３０は、図３（ｂ）に示すように、支持部本体３１の開口部２側の支持部本体３１上に設けられ、スイッチ部４０を支持部本体３１から開口部２側に付勢する圧縮コイルばねからなるスイッチ付勢部３９を備えている。
【００３４】
そして、図９に示すように、支持部本体３１は、開口部２側に設けられた圧縮コイルばねからなるスイッチ付勢部３９の開口部２側と反対側となる他端側を収容する第１凹部３９ａを有しており、図３（ｂ）を見るとわかるとおり、スイッチ部４０はスイッチ付勢部３９を介して支持部本体３１に受けられている。
【００３５】
さらに、支持部本体３１には、図７及び図９に示すように、支持部本体３１が係留部３３に対して回動する範囲に対応したガイド孔３５が設けられている。
このガイド孔３５は、ベース部２０側よりも開口部２側となるほうが、幅が広く形成されており、図７に示すように、係留部３３のヘッド部３３ｂを受けるフランジ３５ａを有するようになっている。
【００３６】
一方、係留部３３は、図９に示すように、支持部本体３１のガイド孔３５を貫通するように配置される棒状本体部３３ａと、棒状本体部３３ａの開口部２側となる一端側に設けられ、支持部本体３１のガイド孔３５のフランジ３５ａに受けられるようにして係合するヘッド部３３ｂ（図７参照）と、を備えている。
そして、係留部３３はフランジ３５ａにヘッド部３３ｂが接触していることで支持部本体３１を本体付勢部３２の付勢力に抗してベース部２０側に係留しているだけであるため、支持部本体３１は係留部３３に対して摺動可能である。
このため、上述のように、支持部本体３１がガイド孔３５の範囲で係留部３３に対して回動できるようになっている。
【００３７】
また、この棒状本体部３３ａのベース部２０側となる他端側の先端部は、先ほどベース部２０の四隅に形成されたネジ固定孔に螺合するネジ部（図示せず）が形成されている。
このため、この係留部３３の他端側の先端部に設けられたネジ部（図示せず）をベース部２０の四隅に設けられたネジ固定部（図示せず）に螺合させて固定することで、図９に示すように、圧縮コイルばねからなる本体付勢部３２によって支持部本体３１が開口部２側（ベース部２０から離れる側）に付勢されても、ベース部２０から外れることなく、支持部本体３１はベース部２０に係留される。
【００３８】
また、支持部本体３１には、圧縮コイルばねからなる本体付勢部３２の開口部２側（ベース部２０から遠い側）となる一端側を収容する第２凹部（図示せず）を有しており、本体付勢部３２は、一端側が第２凹部に収容されるとともに、他端側がベース部２０に当接し、支持部本体３１を開口部２側（ベース部２０から離れる側）に付勢している。
【００３９】
そして、本体付勢部３２は、支持部本体３１の第２凹部（図示せず）に一端側が収容されていることで、上述したように、係留部３３に対して回動できる支持部本体３１を係留部３３に対して回動させたときに、支持部本体３１とともに回動するようになっている。
【００４０】
一方、図７を見るとわかるように、上述した、支持部本体３１から開口部２側に向かって延在する位置決め部３４は、係留部３３に対して支持部本体３１を回動させると、ベース部２０の外側に位置するように支持部本体３１に一体に形成されている。
【００４１】
そして、ベース部２０は、外壁Ｗ１の開口部２とほぼ等しい外形を有していることから、係留部３３に対して支持部本体３１を回動させ、ベース部２０の外側に位置決め部３４を位置させると、位置決め部３４は、外壁Ｗ１の外面３の反対側に位置する裏面４（図２参照）に対向する位置に位置することになる。
【００４２】
このため、図８に示したように、ベース部２０上に複数の支持部３０を取り付けた支持ユニットをネジ２２ａで内壁Ｗ２に固定した後に、矢印で示すように、係留部３３（図７参照）を基準として、支持部本体３１を約９０度回転させて、位置決め部３４をベース部２０の外側（開口部２の外側）の位置に位置させるようにすると、図２に示すように、位置決め部３４が外壁Ｗ１の裏面４に対向する位置に位置し、本体付勢部３２の付勢力によって、位置決め部３４の先端が外壁Ｗ１の裏面４に当接した状態となる。
【００４３】
したがって、この位置決め部３４によって、支持部本体３１が外壁Ｗ１に対して位置決めされるようになっている。
つまり、本実施形態の支持部３０は、支持部本体３１が、係留部３３に対して回動して位置決め部３４を外壁Ｗ１の裏面４に当接させることで、支持部本体３１が外壁Ｗ１に対して一定の距離の位置に位置するように位置決めされる構成になっている。
【００４４】
このようにして、支持部本体３１が外壁Ｗ１に対して一定の距離の位置に位置するようにしたら、次に、スイッチ部４０を開口部２に対して位置決めするように支持部３０に支持させる。
【００４５】
具体的に、支持部３０にスイッチ部４０を支持させる作業を説明する前に、スイッチ部４０の構成について簡単に説明しておく。
図１０はスイッチ部４０を示す斜視図である。
図３（ｂ）及び図１０に示すように、スイッチ部４０は、支持部３０（図３（ｂ）参照）に支持される制御ユニット４１と、開口部２側に配置され、制御ユニット４１上に設けられるセンサユニット４２と、を備えている。
【００４６】
制御ユニット４１は、ケース４１ａと、ケース４１ａ用の蓋４１ｂと、ケース４１ａ内に収容される、図示しない電源部や制御回路（回路基板）を有しており、蓋４１ｂには、センサユニット４２と制御回路（回路基板）とを接続する図示しないコネクタ部が設けられる開口４１ｂａが形成されている。
また、図２に示すように、ケース４１ａの側壁の一部には、開口４１ａａが設けられており、ケース４１ａ内に収容される電源部等からのコードが外部に引き出せるようになっている。
【００４７】
一方、センサユニット４２は、ユーザがスイッチ操作を行うときに操作部となる部分であり、本実施形態では、静電容量式のセンサで構成されている。
図１１を参照して簡単にセンサユニット４２のセンサの構成を説明すると、スイッチ操作のためにユーザが指Ｆを近付けるセンサ基板４３の部分には、図１１（ａ）に示すように、操作側となる前面４３ａ側にドライブライン６１及びセンターライン６２が設けられ、センサ基板４３の後面４３ｅ側にグランド６３が設けられている。
【００４８】
そして、図１１（ａ）では、電界の様子を電気力線として矢印で示しているが、ドライブライン６１とセンターライン６２及びグランド６３との間には電界が生じるようになっている。
【００４９】
この状態のところに、図１１（ｂ）に示すように、ユーザの指Ｆが近づくと電気力線が指Ｆ側に引っ張られ、センターライン６２への電気力線の本数が減少する。
この電気力線の減少、つまり、静電容量の変化を検知することで、スイッチの操作が行われたか否かを検出するようになっている。
【００５０】
なお、センサユニット４２を、その他一般的な他の構成からなる静電容量式のセンサで構成するようにしてもよいが、本実施形態のように、電気力線の変化を検知する構成の場合、センサの表面から指Ｆが離れていても、指Ｆが近づくだけで検知することが可能であるため、例えば、図１に示したカバー１０等を設けたりしても良好なスイッチ操作の検知が可能である。
このため、センサユニット４２は、電気力線の変化を検知するタイプの静電容量式のセンサで構成されることが好ましい。
【００５１】
そして、図１０に示すように、制御ユニット４１及びセンサユニット４２には、四隅にネジを通すネジ孔４５が形成されている。
一方、図７及び図９に示すように、支持部３０の支持部本体３１のスイッチ部４０側には、ネジを固定するネジ固定穴３８が設けられている。
【００５２】
したがって、図３（ｂ）に示すように、制御ユニット４１が圧縮コイルばねからなるスイッチ付勢部３９を介して支持部本体３１に受けられた状態となるように、支持部３０上にスイッチ部４０を配置した後、図１２に示すように、ネジ孔４５にネジ３８ａを通して支持部本体３１のネジ固定穴３８（図７及び図９参照）にネジ３８ａを螺合させることで、支持部３０に支持された状態にスイッチ部４０を支持部３０に取り付けることができる。
【００５３】
ここで、スイッチ部４０は、図３（ｂ）に示すように、圧縮コイルばねからなるスイッチ付勢部３９を介して支持部本体３１に受けられているため、図１２に示したネジ３８ａのネジ固定穴３８（図７及び図９参照）に対する螺合量を調節することで、スイッチ部４０を支持部本体３１に近い位置に位置させたり、遠い位置に位置させるように、支持部本体３１に対してスイッチ部４０の位置を調節できるようになっている。
【００５４】
つまり、本実施形態は、スイッチ付勢部３９の付勢力に抗して支持部本体３１に対してスイッチ部４０を位置決めする、ネジ３８ａとネジ３８ａを螺合させる支持部本体３１に設けられたネジ固定穴３８とで構成されるスイッチ位置決め部を備えたものになっている。
【００５５】
このため、支持部本体３１に対するスイッチ部４０の位置を調整することで、スイッチ部４０の外側となる表面が外壁Ｗ１の外面３とほぼ面一に位置するように、スイッチ部４０を開口部２に対して位置決め配置することができるようになっている。
【００５６】
そして、図１０に示すように、スイッチ部４０のセンサユニット４２の外周部には、カバー１０を係合させるほぼＬ字状の係合溝４６が設けられており、一方、図３（ｂ）に示すように、カバー１０には、その係合溝４６に係合するほぼＬ字状の係合部１１が設けられている。
【００５７】
したがって、スイッチ部４０を開口部２に対して位置決めした後、カバー１０の係合部１１を、スイッチ部４０のセンサユニット４２の係合溝４６に係合させるようにしてカバー１０の取り付けを行い、図１に示すように、開口部２（図示せず）を覆うようにカバー１０を配置させることができるようになっている。
【００５８】
以上のような構成からなる平面スイッチ１は、まず、外壁Ｗ１と内壁Ｗ２の間の距離が変わったとしても、スイッチ部４０を支持する支持部３０の支持部本体３１が外壁Ｗ１に対して一定の距離に保たれるようになっている。
【００５９】
一般に、外壁Ｗ１に使用される板材には、厚みに関する規格があることから、支持部本体３１が外壁Ｗ１に対して一定の距離に保たれるようにしている位置決め部３４（図２参照）の長さを、この外壁Ｗ１の厚みを見込んでスイッチ部４０を支持部３０に支持させたときに、スイッチ部４０が外壁Ｗ１の外面３とほぼ面一になるようにすることができる。
【００６０】
このため、スイッチ部４０が外壁Ｗ１の外面３とほぼ面一になるように、簡単に、スイッチ部４０を外壁Ｗ１の開口部２に対して適切な位置に配置することができる。
【００６１】
一方、外壁Ｗ１に使用される板材の厚みに関する規格は、流通する建材としての規格であり、法律上の規定ではない。
このため、異なる厚みの外壁Ｗ１も存在するが、本実施形態では、ネジ３８ａとネジ３８ａを螺合させる支持部本体３１に設けられたネジ固定穴３８とで構成されるスイッチ位置決め部でスイッチ部４０の位置を微調整することができるため、外壁Ｗ１の厚みに違いがあったとしても、簡単に、スイッチ部４０を外壁Ｗ１の開口部２に対して適切な位置に配置することができる。
【００６２】
以上、本発明を実施形態に基づき説明したが、本発明は実施形態に限定されるものではない。
【００６３】
例えば、上記実施形態では、ベース部２０上に支持部３０を取り付けて支持ユニットとして内壁Ｗ２に取り付ける場合について示したが、図６を参照して説明した内壁Ｗ２にベース部２０をネジ２２ａ（図８参照）で固定するネジ固定穴を形成する作業を支持部３０の係留部３３を固定するためのネジ固定穴を形成する作業として、図１３に示すように、直接、内壁Ｗ２に支持部３０を取り付けるようにしてもよい。
【００６４】
したがって、平面スイッチ１において、ベース部２０は必須の構成要件ではない。
しかしながら、ベース部２０上に支持部３０を取り付けて支持ユニットとするほうが平面スイッチ１を設置するときの作業性がよくなるため、ベース部２０を用いるようにするほうが好ましい。
【００６５】
また、本実施形態では、支持部３０を４個用いた平面スイッチ１を示したが、支持部３０の個数は、平面スイッチ１を安定して支持できる個数であればよい。
例えば、部材の面を規定するためには、３点以上で部材を支持すると安定して面出しができることを考えれば、支持部３０を３個以上用いることで、安定してスイッチ部４０の外側となる面を開口部２に対して平行にすることができるといえ、このことから支持部３０の個数は３個以上であることが好ましい。
【００６６】
一方、支持部３０の数が多いとコストも上昇することから、支持部３０は６個以下が好ましく、５個以下がより好ましく、３個又は４個とするのが最も好ましい。
【００６７】
さらに、本実施形態では、平面スイッチ１が、ネジ３８ａとネジ３８ａを螺合させる支持部本体３１に設けられたネジ固定穴３８とで構成されるスイッチ位置決め部を備える場合について示したが、上記でも少し触れたとおり、外壁Ｗ１が規格に沿った厚みを有する場合には、必ずしも、スイッチ位置決め部を有している必要はなく、スイッチ位置決め部は、必須の構成要件ではない。
【００６８】
しかしながら、規格に沿って製造されていたとしても、厚みにばらつきがある場合も考えられるため、スイッチ位置決め部を備えていることが好ましい。
【００６９】
加えて、本実施形態では、位置決め部３４が支持部本体３１に一体に形成されている場合について示したが、位置決め部３４を支持部本体３１と別に形成しておいて、支持部本体３１に位置決め部３４を取り付けるようにしてもよい。
【００７０】
また、カバー１０で開口部２を覆う代わりに壁紙で開口部２を覆うようにしてもよく、したがって、カバー１０も必須の構成要件ではない。
このように開口部２を壁紙で覆う場合には、平面スイッチ１の部分だけ透明にした壁紙を張るようにして、センサユニット４２に光源を設け、このセンサユニット４２の表面上にスイッチを示す図や記号等を印刷したハーフミラーのシートやプレートを設けるようにする。
【００７１】
そうすると、夜間等の平面スイッチ１の周囲が暗いときにセンサユニット４２に設けた光源を点灯させることで、その図や記号等が浮かび上がるような演出ができ、極めて斬新なスイッチを構成することができる。
【００７２】
さらに、上記では、平面スイッチ１が部屋等の壁内に埋め込まれて設置される場合について説明したが、平面スイッチ１は机等に設置されてもよい。
したがって、上記では外壁Ｗ１に開口部２が設けられ、その開口部２の奥にある内壁Ｗ２に平面スイッチ１を設置するものとして説明しているが、平面スイッチ１が配置される開口部２は、外壁Ｗ１に設けられたものに限定されず、その開口部２が設けられている場所は、外壁Ｗ１と同様に前面側に位置する前面板であればよい。
また、その場合、平面スイッチ１が取り付けられる場所も内壁Ｗ２ではなく、その前面板に設けられている開口部２よりも奥にある取り付け可能な面（奥面）であればよい。
【００７３】
加えて、平面スイッチ１によって操作される対象となる機器類も特に限定される必要はなく、平面スイッチ１によって操作される機器類は、照明、空調設備、家電製品、シャッターやカーテン等といったスイッチ操作を伴うようなものであればよい。
【００７４】
このように、本発明は、具体的な実施形態に限定されるものではなく、その要旨を逸脱しない範囲での種々の変更を行ったものも本発明の技術的範囲に含まれるものであることは、当業者にとって特許請求の範囲の記載から明らかである。
【符号の説明】
【００７５】
１…平面スイッチ、２…開口部、１０…カバー、２０…ベース部、３０…支持部、３１…支持部本体、３２…本体付勢部、３３…係留部、３３ａ…棒状本体部、３３ｂ…ヘッド部、３４…位置決め部、３５…ガイド孔、３８…ネジ固定穴、３８ａ…ネジ、３９…スイッチ付勢部、４０…スイッチ部、４１…制御ユニット、４２…センサユニット、Ｗ１…外壁（前面板）、Ｗ２…内壁
【図１】
0006453813.tif 000002
【図２】
0006453813.tif 000003
【図３】
0006453813.tif 000004
【図４】
0006453813.tif 000005
【図５】
0006453813.tif 000006
【図６】
0006453813.tif 000007
【図７】
0006453813.tif 000008
【図８】
0006453813.tif 000009
【図９】
0006453813.tif 000010
【図１０】
0006453813.tif 000011
【図１１】
0006453813.tif 000012
【図１２】
0006453813.tif 000013
【図１３】
0006453813.tif 000014